(57)【要約】      （修正有）【課題】ネットワークに接続された装置のメモリ領域に予め予約領域が設けられている場合に、一括で情報を登録してメモリ領域を複数のユーザで有効に活用できる画像入力装置等を提供する。【解決手段】ネットワーク１４を介して接続された情報処理装置２０から、該情報処理装置２０が提供するサービスを指定した複数のサービス情報を１回の要求により登録する画像入力装置１であって、サービス情報を記憶しておくサービス情報保存領域１２Ａと、サービス情報保存領域１２Ａに予約領域を確保するサービス情報予約手段１５と、予約領域が空き領域の場合、サービス情報を予約領域から登録し、予約領域に空きがなくなると非予約領域にサービス情報を登録するサービス情報更新手段６と、を有する。【選択図】図２
2008219194.tif 000002
【特許請求の範囲】
【請求項１】
ネットワークを介して接続された情報処理装置から、該情報処理装置が提供するサービスを指定した複数のサービス情報を１回の要求により登録する画像入力装置であって、
前記サービス情報を記憶しておくサービス情報保存領域と、
前記サービス情報保存領域に予約領域を確保するサービス情報予約手段と、
前記予約領域が空き領域の場合、前記サービス情報を前記予約領域から登録し、前記予約領域に空きがなくなると非予約領域に前記サービス情報を登録するサービス情報更新手段と、
を有することを特徴とする画像入力装置。
【請求項２】
前記サービス情報予約手段は、前記情報処理装置毎に、１以上の前記予約領域を確保する、
ことを特徴とする請求項１記載の画像入力装置。
【請求項３】
前記サービス情報保存領域に登録対象の前記サービス情報を記憶する空き領域がない場合に、前記サービス情報保存領域の非予約領域に既に登録されている前記サービス情報のうち、最後に利用された時から最も時間の経過した最古サービス情報を削除するサービス削除手段を有し、
前記サービス情報削除手段は、
ａ）前記最古サービス情報と同時に記憶された前記サービス情報が予約領域に記憶されていない場合、該最古サービス情報を削除し、
ｂ）前記最古サービス情報と同時に記憶された前記サービス情報が予約領域に記憶されている場合、該最古サービス情報を削除せず、
ｃ）前記サービス情報の登録に必要な空き領域を確保できるまで、
非予約領域に既に登録されている前記サービス情報のうち、該最古サービス情報の次に、最後に利用された時から最も時間の経過した前記サービス情報を前記最古サービス情報とし、ａ）ｂ）の処理を繰り返す、
ことを特徴とする請求項１又は２記載の画像入力装置。
【請求項４】
前記サービス情報保存領域に登録対象の前記サービス情報を記憶する空き領域がない場合に、前記サービス情報保存領域の非予約領域に既に登録されている前記サービス情報から、最後に利用された時から最も時間の経過した最古サービス情報を削除するサービス削除手段を有し、
前記サービス情報削除手段は、
ａ）前記最古サービス情報と同時に記憶された前記サービス情報が予約領域に記憶されていない場合、該最古サービス情報を削除し、
ｂ）前記最古サービス情報と同時に記憶された前記サービス情報が予約領域に記憶されている場合、該最古サービス情報を削除し、かつ、予約領域に記憶された前記サービス情報は削除せず、
ｃ）前記サービス情報の登録に必要な空き領域を確保できるまで、
非予約領域に既に登録されている前記サービス情報のうち、該最古サービス情報の次に、最後に利用された時から最も時間の経過した前記サービス情報を前記最古サービス情報とし、ａ）ｂ）の処理を繰り返す、
ことを特徴とする請求項１又は２記載の画像入力装置。
【請求項５】
所定の情報処理装置が前記サービス情報を予約領域に記憶した前記サービス情報保存領域に対し、さらに該情報処理装置が前記サービス情報の登録を要求した場合、
前記サービス情報削除手段は、前記サービス情報保存領域の予約領域にすでに記憶されている前記サービス情報を削除し、
前記サービス情報更新手段は、記憶するよう要求された前記サービス情報を前記サービス情報保存領域に記憶させる、
ことを特徴とする請求項１記載の画像入力装置。
【請求項６】
前記サービス情報削除手段が、前記サービス情報保存領域にすでに記憶されている前記サービス情報を削除した場合、
前記サービス情報予約手段は、該情報処理装置が予約した予約領域を解除する、
ことを特徴とする請求項５記載の画像入力装置。
【請求項７】
前記サービス情報削除手段が、前記サービス情報を記憶させるのに必要な空き領域を確保できなかった場合、
前記サービス情報更新手段は、登録可能な数だけ前記サービス情報を記憶させる、
ことを特徴とする請求項３又は４記載の画像入力装置。
【請求項８】
前記サービス情報削除手段が、
前記ａ）及びｂ）の処理を実行した結果、前記サービス情報を記憶させるのに必要な空き領域を確保できなかった場合、
前記サービス情報削除手段は、
ｄ）前記最古サービス情報と同時に記憶された前記サービス情報が予約領域に記憶されている場合、該最古サービス情報を削除し、かつ、予約領域に記憶された前記サービス情報は削除せず、
ｅ）前記サービス情報の登録に必要な空き領域を確保できるまで、
非予約領域に既に登録されている前記サービス情報のうち、該最古サービス情報の次に、最後に利用された時から最も時間の経過した前記サービス情報を前記最古サービス情報とし、ｄ）の処理を繰り返す、
ことを特徴とする請求項３記載の画像入力装置。
【請求項９】
ネットワークを介して接続された情報処理装置から、該情報処理装置が提供するサービスを指定した複数のサービス情報を、１回の要求によりサービス情報保存領域に登録する画像入力装置の情報登録方法であって、
サービス情報予約手段が、前記サービス情報保存領域に予約領域を確保するステップと、
サービス情報更新手段が、前記予約領域が空き領域の場合、前記サービス情報を前記予約領域から登録し、前記予約領域に空きがなくなると非予約領域に前記サービス情報を登録するステップと、
を有することを特徴とする画像入力装置の情報登録方法。
【請求項１０】
前記サービス情報予約手段は、前記情報処理装置毎に、１以上の前記予約領域を確保する、
ことを特徴とする請求項９記載の画像入力装置の情報登録方法。
【請求項１１】
サービス削除手段が、
ａ）前記サービス情報保存領域に登録対象の前記サービス情報を記憶する空き領域がない場合に、前記サービス情報保存領域の非予約領域に既に登録されている前記サービス情報から、最後に利用された時から最も時間の経過した最古サービス情報を検索するステップと、
ｂ）前記最古サービス情報と同時に記憶された前記サービス情報が予約領域に記憶されているか否かを判定するステップと、
ｃ）前記最古サービス情報と同時に記憶された前記サービス情報が予約領域に記憶されている場合、該最古サービス情報を削除せず、記憶されていない場合、該最古サービス情報を削除するステップと、を有し、
ｄ）前記サービス情報の登録に必要な空き領域を確保できるまで、
非予約領域に既に登録されている前記サービス情報のうち、該最古サービス情報の次に、最後に利用された時から最も時間の経過した前記サービス情報を前記最古サービス情報とし、ｂ）ｃ）の処理を繰り返す、
ことを特徴とする請求項９又は１０記載の画像入力装置の情報登録方法。
【請求項１２】
サービス削除手段が、
ａ）前記サービス情報保存領域に登録対象の前記サービス情報を記憶する空き領域がない場合に、前記サービス情報保存領域の非予約領域に既に登録されている前記サービス情報から、最後に利用された時から最も時間の経過した最古サービス情報を検索するステップと、
ｂ）前記最古サービス情報と同時に記憶された前記サービス情報が予約領域に記憶されているか否かを判定するステップと、
ｃ）前記最古サービス情報と同時に記憶された前記サービス情報が予約領域に記憶されている場合、予約領域に記憶された前記サービス情報は削除せず、該最古サービス情報を削除するステップと、を有し、
ｄ）前記サービス情報の登録に必要な空き領域を確保できるまで、
非予約領域に既に登録されている前記サービス情報のうち、該最古サービス情報の次に、最後に利用された時から最も時間の経過した前記サービス情報を前記最古サービス情報とし、ｂ）ｃ）の処理を繰り返す、
ことを特徴とする請求項９又は１０記載の画像入力装置の情報登録方法。
【請求項１３】
所定の情報処理装置が前記サービス情報を予約領域に記憶した前記サービス情報保存領域に対し、さらに該情報処理装置が前記サービス情報の記憶を要求した場合、
前記サービス情報削除手段が、
前記サービス情報保存領域にすでに記憶されている前記サービス情報を削除するステップと、
前記サービス情報更新手段が、記憶するよう要求された前記サービス情報を前記サービス情報保存領域に記憶させるステップと、
を有することを特徴とする請求項９記載の画像入力装置の情報登録方法。
【請求項１４】
前記サービス情報削除手段により、前記サービス情報保存領域にすでに記憶されている前記サービス情報が削除された場合、
前記サービス情報予約手段が、該情報処理装置が予約した予約領域を解除するステップを有する、
ことを特徴とする請求項１３記載の画像入力装置の情報登録方法。
【請求項１５】
前記サービス情報削除手段により、前記サービス情報を記憶させるのに必要な空き領域を確保されなかった場合、
前記サービス情報更新手段が、登録可能な数だけ前記サービス情報を記憶させるステップを有する、
ことを特徴とする請求項１１又は１２記載の画像入力装置の情報登録方法。
【請求項１６】
前記サービス情報削除手段が、
前記ａ）〜ｄ）のステップを実行した結果、前記サービス情報を記憶させるのに必要な空き領域を確保できなかった場合、
前記サービス情報削除手段は、
ｅ）前記最古サービス情報と同時に記憶された前記サービス情報が予約領域に記憶されているか否かを判定するステップと、
ｆ）前記最古サービス情報と同時に記憶された前記サービス情報が予約領域に記憶されている場合、予約領域に記憶された前記サービス情報は削除せず、該最古サービス情報を削除するステップと、
ｇ）前記サービス情報の登録に必要な空き領域を確保できるまで、
非予約領域に既に登録されている前記サービス情報のうち、該最古サービス情報の次に、最後に利用された時から最も時間の経過した前記サービス情報を前記最古サービス情報とし、ｅ）ｆ）の処理を繰り返すステップと、
を実行することを特徴とする請求項１１記載の画像入力装置の情報登録方法。
【請求項１７】
請求項９〜１６いずれ記載の画像入力装置の情報登録方法をコンピュータに実行させることを特徴とするプログラム。
【請求項１８】
請求項１７記載のプログラムを記憶したコンピュータ読み取り可能な記憶媒体。
【発明の詳細な説明】
【技術分野】
【０００１】
本発明は、ネットワークを介して接続された情報処理装置から受信した情報を登録する画像入力装置等に関し、特に、複数の情報を一括で登録可能な画像入力装置、画像入力装置の情報登録方法、プログラム及びその記憶媒体に関する。
【背景技術】
【０００２】
ＬＡＮなどのネットワークにスキャナを接続して、ユーザがそれぞれのユーザ端末からスキャナを共有して利用するネットワークスキャナが知られている。図１６は、従来のネットワークスキャナシステムの構成図を示す。ネットワークにはネットワークスキャナ２００、配信サーバ３００及びユーザ端末４００が接続されている。配信サーバ３００は、ネットワークに接続されたユーザ端末４００の利用者のアドレス（ＩＰアドレス）等の画像データを転送するのに必要な管理データを内部メモリに記憶し、ＯＳから提供される例えばＳＭＢ（Server Message Block）プロトコルを利用して各ユーザ端末に画像データを配信する。ネットワークスキャナ２００がスキャンした画像データは、当該内部メモリの管理データに基づいてスキャン操作時に指定されたユーザ端末４００に転送される（いわゆるＳＣＡＮ Ｔｏ ＳＭＢ）。
【０００３】
したがって、ネットワークスキャナ２００を共有して利用するには、ネットワークスキャナ２００において画像データを送信するユーザ端末４００を指定する必要があるが、スキャンの度に指定するのは面倒であるため一般的にはネットワークスキャナ２００のメモリにユーザ情報が予め登録されている。配信サーバ３００はこのユーザ情報に対応づけられたユーザ端末４００のアドレスを内部メモリから抽出して、各ユーザ端末に画像データを配信する。
【０００４】
一方、ユーザ端末の登録をする手間が煩雑であることや、登録したユーザ端末の電源が入っていないため送信が出来ないといった問題から、動作中のユーザ端末から自発的にネットワークスキャナ２００に対して自身のユーザ端末の登録要求をする機能を有するＯＳが登場している。
【０００５】
しかしながら、ネットワークスキャナ２００がユーザ情報を記憶しておくメモリ容量は有限であるため、ネットワーク上に存在するユーザ端末すべてを無制限にユーザ情報を登録することは困難である。そこで、ユーザ情報が登録されるメモリのメモリ容量を管理する装置が提案されている（例えば、特許文献１参照。）。特許文献１記載の装置は、メモリに記憶するようにしたアドレス帳データを管理するため、アドレス帳データを利用した日時情報を利用して最後に利用した日時が古いアドレス帳データを削除することでメモリの有効活用を図っている。これにより、１度だけ使用したがその後においてその１度も使用されていない相手先や、メモリの記憶容量いっぱいに記憶されたアドレス帳データからアドレス帳データを削除する場合に、不要なアドレスの選択を容易にしている。
【特許文献１】特開２００２−１７１３３３号公報
【発明の開示】
【発明が解決しようとする課題】
【０００６】
しかしながら、ネットワークスキャナ２００に特許文献１記載のメモリ領域の管理方法を適用するといくつかの問題が生じる。ネットワークスキャナ２００などネットワークに接続された装置は、複数のユーザにより使用されるものであるため、メモリも複数のユーザにより共通に使用される。ここで、宛先などのユーザ情報を記憶するためメモリ容量に記憶可能な領域をユーザの人数で等分して各ユーザに配分することが考えられる。しかしながら、ユーザ端末からの登録要求には、ユーザ端末自身やフォルダを特定する情報だけでなくユーザ端末上で動作するアプリケーションごとの特定が可能であり（例えば文章原稿であればＯＣＲソフト、画像原稿であれば描画ソフト等、以下サービスと言う）、１度の登録要求で送信先であるサービスを複数登録する事が可能である。このような状況においては、ユーザによってメモリ領域に登録しておきたいサービスの量は様々であるため、あるユーザにとっては不十分であり、またあるユーザにとっては大きすぎるなどメモリ容量が有効に活用されないおそれがある。当然、同じユーザであっても、状況に応じて登録したいサービスの量が異なることも考えられる。
【０００７】
また、各サービスがユーザ端末上でどのようなアプリケーションと対応付けられているかは、ユーザ端末上での設定事項であって、このような情報をネットワークスキャナから入力するのは困難であり、E-mailアドレスのように手動で入力をすることは難しい。その為、メモリ不足で登録要求を受け付けられなかったユーザ端末に対して画像を送信することができなくなるおそれがある。
【０００８】
この点について、特許文献１記載の装置のように使用された日時情報が最も古いユーザ情報から削除すれば、使用されないユーザ情報は削除される傾向になり、使用されるユーザ情報は増大する傾向になる。
【０００９】
しかしながら、１回の登録要求に対して複数のサービスを登録してきた場合に、すべてのサービスを均等に使用しているとは限らず、あるサービスは頻繁に使用したが、別のサービスはまったく使用していないということがありえる。この場合、サービスを利用する頻度や登録するサービスの数に関わらず一括して登録処理することが好ましい。
【００１０】
本出願人は、上記課題に鑑み、ネットワークに接続された装置のメモリ領域に一括で情報を登録して、該メモリ領域を複数のユーザで有効に活用できる画像入力装置等について提案した。
【００１１】
ところで、サービスの登録に当たり、予め所定のサービスに関しては登録するための予約領域を設けておけば、例えば予約されたサービスを確実に登録できる。
【００１２】
本発明は、上記課題に鑑み、ネットワークに接続された装置のメモリ領域に予め予約領域が設けられている場合に、一括で情報を登録して、メモリ領域を複数のユーザで有効に活用できる画像入力装置、画像入力装置の情報登録方法、プログラム及びその記憶媒体を提供することを目的とする。
【課題を解決するための手段】
【００１３】
上記課題を解決するため、本発明は、ネットワークを介して接続された情報処理装置から、該情報処理装置が提供するサービスを指定した複数のサービス情報を１回の要求により登録する画像入力装置であって、サービス情報を記憶しておくサービス情報保存領域と、サービス情報保存領域に予約領域を確保するサービス情報予約手段と、予約領域が空き領域の場合、サービス情報を予約領域から登録し、予約領域に空きがなくなると非予約領域にサービス情報を登録するサービス情報更新手段と、を有することを特徴とする。
【００１４】
本発明によれば、サービス情報を記憶しておくメモリ領域（サービス情報保存領域）を予め予約しておくことで、予約されたサービス情報を確実に記憶させることができ、他の情報処理装置により予約したサービス情報保存領域が使用されることなく、ユーザが画像を入力、送信しようとした時に確実にサービス情報を利用することができる。
【００１５】
また、本発明の一形態において、サービス情報予約手段は、情報処理装置毎に、１以上の予約領域を確保する、ことを特徴とする。
【００１６】
本発明によれば、各情報処理装置に対しサービス情報の予約領域を確保することで、各情報処理装置が専用の予約領域を使用することができ、例えばサービス情報保存領域に対しサービス情報毎に予約領域を設けた場合に生じうる不使用領域（予約領域のサービス情報に変更が生じた場合、予約領域は使用不能の領域となる）の発生を回避できる。
【００１７】
また、本発明の一形態において、サービス情報保存領域に登録対象のサービス情報を記憶する空き領域がない場合に、サービス情報保存領域の非予約領域に既に登録されているサービス情報から、最後に利用された時から最も時間の経過した最古サービス情報を削除するサービス削除手段を有し、
前記サービス情報削除手段は、
ａ）前記最古サービス情報と同時に記憶された前記サービス情報が予約領域に記憶されていない場合、該最古サービス情報を削除し、
ｂ）前記最古サービス情報と同時に記憶された前記サービス情報が予約領域に記憶されている場合、該最古サービス情報を削除せず、
ｃ）前記サービス情報の登録に必要な空き領域を確保できるまで、
非予約領域から該最古サービス情報の次に、最後に利用された時から最も時間の経過した前記サービス情報を前記最古サービス情報とし、ａ）ｂ）の処理を繰り返す、
ことを特徴とする。    
本発明によれば、サービス情報の登録要求に対して、すでに一部のサービス情報が予約領域、同時に登録されたサービス情報の一部が非予約領域に保存されている状況では、非予約領域のサービス情報を削除対象としないことで、情報処理装置の認識と画像入力装置の保持しているサービス情報の相違を防ぐことができる。
【００１８】
また、本発明の一形態において、サービス情報保存領域に登録対象の前記サービス情報を記憶する空き領域がない場合に、サービス情報保存領域の非予約領域に既に登録されているサービス情報から、最後に利用された時から最も時間の経過した最古サービス情報を削除するサービス削除手段を有し、
前記サービス情報削除手段は、
ａ）前記最古サービス情報と同時に記憶された前記サービス情報が予約領域に記憶されていない場合、該最古サービス情報を削除し、
ｂ）前記最古サービス情報と同時に記憶された前記サービス情報が予約領域に記憶されている場合、該最古サービス情報を削除し、かつ、予約領域に記憶された前記サービス情報は削除せず、
ｃ）前記サービス情報の登録に必要な空き領域を確保できるまで、
非予約領域から該最古サービス情報の次に、最後に利用された時から最も時間の経過した前記サービス情報を前記最古サービス情報とし、ａ）ｂ）の処理を繰り返す、
ことを特徴とする。
【００１９】
本発明によれば、サービス情報の登録要求に対して、すでに一部のサービス情報が予約領域、同時に登録されたサービス情報の一部が非予約領域に保存されている状況では、非予約領域の最古サービス情報を削除することで、サービス情報保存領域に空き領域を形成しやすくでき、結果として他の非予約領域に保持しているサービス情報を消されにくくすることができる。また、より多くのユーザが画像入力装置にサービス情報を登録することが可能となる。
【００２０】
また、本発明の一形態において、所定の情報処理装置がサービス情報を予約領域に記憶したサービス情報保存領域に対し、さらに該情報処理装置が前記サービス情報の記憶を要求した場合、サービス情報削除手段は、サービス情報保存領域にすでに記憶されているサービス情報を削除し、サービス情報更新手段は、記憶するよう要求されたサービス情報をサービス情報保存領域に記憶させる、ことを特徴とする。
【００２１】
本発明によれば、すでに記憶されているサービス情報を削除し、要求されたサービス情報をサービス情報保存領域に記憶させることで、情報処理装置の認識と画像入力装置の保持しているサービス情報の相違を防ぐことができる。
【００２２】
また、本発明の一形態において、サービス情報削除手段が、サービス情報保存領域にすでに記憶されているサービス情報を削除した場合、サービス情報予約手段は、該情報処理装置が予約した予約領域を解除する、ことを特徴とする。
【００２３】
サービス情報を削除した場合には予約領域を解除することで、使用不能の予約領域ができてしまうことを防ぐことができる。
【００２４】
また、本発明の一形態において、サービス情報削除手段が、サービス情報を記憶させるのに必要な空き領域を確保できなかった場合、サービス情報更新手段は、登録可能な数だけサービス情報を記憶させる、ことを特徴とする。
【００２５】
本発明によれば、必要な空き領域を確保できなかった場合、登録可能なだけのサービス情報の登録を行うことで、予約領域に登録しているサービス情報と同時に登録されたサービス情報は削除されることがなく、情報処理装置の認識と画像入力装置の保持しているサービス情報の相違を防ぐことができる。
【００２６】
また、本発明の一形態において、サービス情報削除手段が、
前記ａ）及びｂ）の処理を実行した結果、前記サービス情報を記憶させるのに必要な空き領域を確保できなかった場合、
前記サービス情報削除手段は、
ｄ）前記最古サービス情報と同時に記憶された前記サービス情報が予約領域に記憶されている場合、該最古サービス情報を削除し、かつ、予約領域に記憶された前記サービス情報は削除せず、
ｅ）前記サービス情報の登録に必要な空き領域を確保できるまで、
非予約領域から該最古サービス情報の次に、最後に利用された時から最も時間の経過した前記サービス情報を前記最古サービス情報とし、ｄ）の処理を繰り返す、
ことを特徴とする。
【００２７】
本発明によれば、最古サービス情報と同時に記憶された前記サービス情報が予約領域に記憶されている場合には該最古サービス情報を削除しない処理のため必要な空き領域を確保できなかった場合、ｄ）ｅ）の処理を行うことで、非予約領域の最古サービス情報を削除でき、新規のサービス情報の登録を優先して行うことができる。
【発明の効果】
【００２８】
ネットワークに接続された装置のメモリ領域に予め予約領域が設けられている場合に、一括で情報を登録して、メモリ領域を複数のユーザで有効に活用できる画像入力装置、画像入力装置の情報登録方法、プログラム及びその記憶媒体を提供することができる。
【発明を実施するための最良の形態】
【００２９】
以下、本発明を実施するための最良の形態について、図面を参照しながら説明する。
始めにネットワークスキャナ等の画像入力装置への情報の登録について説明する。図１（ａ）は従来の情報の登録手順を示すシーケンス図を、図１（ｂ）は本実施形態の情報の登録手順を示すシーケンス図をそれぞれ示す。
【００３０】
画像入力装置ではＳＭＢ（Server Message Block）プロトコル等により、読み取った画像データをＰＣ（パーソナルコンピュータ）に送信することができる。これを利用してユーザはＰＣ名と送信先である共有フォルダのアドレスを予め画像入力装置に設定しておき、実際の読み取り時には解像度等を設定する（Ｓ１）。そして、原稿をセットしてスタートボタンを押下すると（Ｓ２）、画像入力装置が原稿を読み取り（Ｓ３）、読み取った画像データをＰＣの共有フォルダに自動的に送信する（Ｓ４）。
【００３１】
ここでＰＣ名と共有フォルダは、従来原則的にユーザ（管理者を含む）が画像入力装置に情報の登録を行なっていた。
【００３２】
これに対し、本実施形態では、ユーザは主に利用するＰＣに、ＰＣが提供する種々のサービスに係る情報（以下、サービス情報という）の画像入力装置への登録指示（以下、情報登録指示という）を入力する（Ｓ１０）。これは、ＰＣ上で動作するＯＳで登録するサービスを予めディフォルトとしていくつか設定してあり、ユーザが任意で増減できるようになっている。そして、ＰＣは所定のタイミングで画像入力装置に情報を登録要求する（Ｓ２０）。所定のタイミングは例えばＰＣが起動したタイミングであり、これにより画像入力装置は画像データの送り先のＰＣが起動していることを認識し、ＰＣやサービスを特定するためのＵＲＩ（Uniform Resource Identifier）やＩＰアドレスのほか、サービスを特定するための識別情報を取得できる。また、画像入力装置が起動時した際に、画像入力装置がネットワークに接続されているＰＣに対して再登録要求を行なうことで、ＰＣが再度の登録要求を行なってもよい。以降は、従来と同様であって、ユーザが読み取り方法を設定して既に登録されている情報の宛先（ＰＣ及びサービス）を選択し（Ｓ３０）、スタートボタンを押下すると（Ｓ４０）、画像入力装置が原稿を読み取り（Ｓ３）、読み取った画像データをＰＣの特定のアプリケーションや共有フォルダに自動的に送信する（Ｓ４）。
【００３３】
ここで、本実施形態のＰＣが登録可能な情報は単にＵＲＩやＩＰアドレスに限らず、ＰＣが提供する種々のアプリケーションの処理に係る情報であるため、１つのＰＣであってもＰＣ上で動作可能な複数の異なるアプリケーションの処理に掛かるサービス情報を登録することがある。また、サービス情報は種々のアプリケーションの処理に係る情報であるため、その対応関係はＰＣ上の設定事項であって画像入力装置にユーザが手作業で全てを入力することは困難な情報である。すなわち、ステップＳ１０においてユーザが入力する情報登録指示はユーザが認識可能な情報、例えば、画像入力装置に表示されるボタンの名称や保存するファイル形式、対応するアプリケーションの指定など、の入力に留まり、ユーザの情報登録指示に基づきＰＣがサービス情報を生成する。
【００３４】
一例を示せば、ユーザの情報登録指示は次のようになる。
・ 画像入力装置で表示するＯＣＲソフトの名称、ファイル形式はビットマップ形式、対応するワープロソフトの実行可能ファイル位置（又は選択）
・ 画像入力装置で表示する描画ソフトの名称、ファイル形式はＪＰＥＧ形式、対応する画像ソフトの実行ファイルの位置（又は選択）
したがって、ＰＣは画像入力装置が画像データを送信するためのサービス情報をサービス毎に生成し、サービス情報とアプリケーションの処理を関連づけＰＣ内に格納する。関連付けは、画像入力装置で表示する名称と、該当するアプリケーションの実行ファイルを直接関連付けても良いし、名称は画像入力装置側で適宜変更できるとするならば、ユニークな識別子をサービス情報に加え、当該識別子と起動するアプリケーションを関連付けても良い。
【００３５】
そして、上述した課題で述べたように原則としてＰＣを特定するための情報等と複数のサービス情報を含む登録・削除等の要求通知が一括でＰＣから画像入力装置に送信されるため、画像入力装置は登録要求通知に含まれる複数のサービス情報を一括で登録、削除することになる。なお、一括とは「１回の送信で（サービス情報が単数か複数かは問わない）」という意味である。
【００３６】
サービス情報（厳密にはＰＣを特定するための情報等も含むが、説明の便宜のためサービス情報とする）を記憶する画像入力装置のメモリ領域（以下、サービス情報保存領域という）は有限であるため、複数のユーザが画像入力装置を使用する環境において、サービス情報保存領域の使用状態（空き状態、サービス情報の利用日時）に応じて複数のサービス情報を一括で処理する処理手順が要求される。
【００３７】
本実施形態では、登録される可能性の高いサービス情報については他のサービス情報が登録されないようにサービス情報保存領域を予約しておくことで、予約したサービスについては常にサービス情報を登録することができる画像入力装置を提供する。
【００３８】
図２は、画像入力装置１及び情報処理装置２０が構成する画像入力システムの構成図を示す。図２に示すように、ＬＡＮ（Local Area Network）やＷＡＮ（Wide Area Network）などのネットワーク１４を介して、画像入力装置１と情報理装置２０が接続されている。図１では情報処理装置２０は複数接続されているが、１台のみであってもよい。
【００３９】
画像入力装置１は原稿を光学的に読み取るいわゆるスキャナ機能を備え、本実施形態ではこの入力された画像データを情報処理装置２０に送信するが、サービス情報の登録等の処理手順は、複写機、ファクシミリ、プリンタなどの機能を備えたＭＦＰ（Multi Function Printer）においても好適に適用できる。
〔画像入力装置１の構成〕
画像入力装置１は、ＣＰＵ８、通信管理手段９、記憶装置１２、画像入力デバイス１１、メディア装着部２４、タッチパネル１６及び操作画面表示手段５がＰＣＩバス１３を介して互いに接続されていると共に、通信管理手段９はネットワークインターフェイス（Ｉ／Ｆ）１０を介しネットワーク１４に接続されている。
【００４０】
ＣＰＵ８は、画像入力装置１全体の制御、原稿のスキャン、通信、操作部からのユーザ操作、操作画面表示手段５はタッチパネル１６などへの表示を制御する。画像入力デバイス１１は、画像形成ユニット等と共にいわゆるエンジン部を構成するもので、原稿を１ラインずつ（主走査方向）に副走査方向に走査して所定解像度（例えば、３００ｄｐｉ）でＣＣＤ等の素子により光電変換して、順次アナログから所定の階調（例えば、８ビット）のデジタル信号に変換する。また、画像入力デバイス１１は、シェーディング補正、γ補正、濃度補正等の画像の入力に係る画像処理を行う。
【００４１】
記憶装置１２は、ＲＯＭ、ＲＡＭ、及び、ハードディスク装置など各種記憶装置により構成され、プログラム、データ、ＯＳなど各種のファイルを記憶するメモリである。この記憶装置１２の一部にサービス情報の有限な記憶領域、サービス情報保存領域１２Ａが割り当てられる。
【００４２】
ネットワークＩ／Ｆ１０は、物理層及びデータリンク層を使用して、階層構造を成すネットワークの基盤部分となり同一のLANに属する他のＮＩＣ（Network Interface Card）との通信を可能にする。なお、ＮＩＣは情報処理装置２０にも備えられている。ネットワークＩ／Ｆ１０により、より上位のプロトコルであるＴＣＰ／ＩＰを用いて画像入力装置１と情報処理装置２０とが通信可能となっている。通信管理手段９は、ネットワーク１４を伝送するデータの送受信を制御する装置であって、通信回線に適した信号にデータを変換したりその逆を行い、また、信号の変換や誤り制御などを行なう。
【００４３】
メディア装着部２４は、種々の記憶媒体を装着して記憶媒体２５に記憶されたデータやプログラムを読み取り、また、記憶媒体２５にデータやプログラムを書き込む。記憶媒体２５は、ＣＤ（Compact Disc）、ＤＶＤ（Digital Versatile Disc）ディスク、等の光ディスク、着脱可能な半導体メモリ、可搬型のハードディスク装置等である。
【００４４】
アプリケーションと示した領域は、ＣＰＵ８がプログラムを実行して実現する機能であり、情報取得手段７、サービス情報決定手段４、サービス情報更新手段６、サービス情報延長手段３、サービス情報削除手段２及びサービス情報予約手段１５を有するように構成される。
【００４５】
情報取得手段７は、情報処理装置２０から送信された要求通知からサービス情報を抽出する。サービス情報決定手段４は登録要求されたサービス情報から登録対象のサービス情報を決定する。サービス情報更新手段６は、サービス情報保存領域１２Ａのサービス情報を更新する。サービス情報延長手段３は、延長要求のあったサービス情報の登録を延長する。サービス情報削除手段２は、サービス情報保存領域１２Ａからサービス情報を削除する。サービス情報予約手段１５は、サービス情報保存領域１２Ａに指定されたサービス情報を優先的に登録するための予約領域を確保する。
【００４６】
これらの機能を実現するためのプログラムは記憶媒体２５に記録して配布されたり、ネットワーク１４を介してダウンロードして記憶装置１２にインストールされる。
〔情報処理装置２０の構成〕
情報処理装置２０は、例えば、パーソナルコンピュータやワークステーション等である。  図３は、情報処理装置２０のハードウェア構成図の一例を示す。図３はパーソナルコンピュータを例にしたものである。
【００４７】
情報処理装置２０は、それぞれバスで相互に接続されているＣＰＵ３１、主記憶装置３２、記憶装置３３、表示装置３４、入力装置３５、ドライブ装置３６及び通信装置３７、を有するように構成される。
【００４８】
ＣＰＵ３１は、ＯＳやアプリケーションなどのプログラムを記憶装置３３からロードして実行することで種々の機能を提供すると共に、情報処理装置２０が行う処理を統括的に制御する。主記憶装置３２はＲＡＭにより構成され、ＯＳやプログラム、データを一時保管する作業メモリとなる。記憶装置３３は、ＨＤＤ（ハードディスクドライブ）やフラッシュメモリなど不揮発性メモリであり、ＯＳ、プログラム、ドライバ等のファイルが記憶されている。表示装置３４は、プログラムが指示する画面情報に基づき所定の解像度や色数等で液晶などのディスプレイに描画する。例えば、ＧＵＩ（Graphical User Interface）画面を形成し、操作に必要な各種ウィンドウやデータ等をディスプレイに表示する。
【００４９】
入力装置３５はキーボードやマウスなどで構成され、ユーザからの様々な操作指示を入力するために用いられる。ドライブ装置３６は記録媒体３８が挿入可能に構成されており、記録媒体３８に記録されたデータを読み取って主記憶装置３２等に送出する。なお、記録媒体３８にプログラムやデータを書き込む際にも使用される。通信装置３７は、インターネットやＬＡＮなどのネットワーク１４に接続するためのインターフェイスであり、例えばモデム、ネットワークインターフェイスカード（ＮＩＣ）等で構成される。
【００５０】
ＣＰＵ３１がプログラムを実行することで、図２の読み取り条件管理手段２２、サービス情報管理手段２３が実現される。サービス情報管理手段２３は、ユーザの指定やデフォルトの設定に従い画像データの送信先を含むサービス情報を生成し、画像入力装置１に登録・削除・延長要求するなど、サービス情報を管理する。読み取り条件管理手段２２は、例えば、画像入力装置１で読み取り操作する場合に、選択したサービス情報に対応づけて読み取り条件である原稿サイズ、解像度、階調などを管理する。すなわち、所定のサービス情報を選択すると、読み取り条件が自動的に設定される。
〔画像入力装置２０の使用形態〕
原稿を読み取る場合、ユーザは画像入力装置２０まで赴き、操作画面表示手段５がタッチパネル１６等に形成する操作画面から原稿を読み取って得られる画像データを送信する宛先を指定する。この宛先は、当該ユーザの情報処理装置２０であったり、原稿の読み取りを依頼された他のユーザの情報処理装置２０である。そして、さらに本実施形態では、ＯＣＲソフトの名称やアプリケーションを特定するユニークな識別子等により具体的なサービス対象を宛先にして画像データを送信することを想定している。なお、宛先の指定は、サービス情報として設定されているので、ユーザはソフト名などが表示された操作画面から選択するだけで該当するサービスの宛先を指定することができる。
【００５１】
原稿を読み取る場合、必要であればユーザは、操作画面表示手段５によって表示される画面に従い、読み取り条件（原稿サイズ、解像度、階調、等）を入力する。読み取り条件の設定が終了すると、画像入力装置２０はスキャンスタートの待ち状態となる。ユーザがスタートボタンを押下すると原稿の読み取り動作が開始され、読み取られた画像データは操作画面表示手段５で指定された宛先（指定された情報処理装置２０の指定されたサービスに関連づいたアプリケーション等）に送信される。
【００５２】
〔サービス情報の登録の概略〕
サービス情報の登録の処理手順について説明する。図４は、情報処理装置２０が画像入力装置１にサービス情報を送信し、画像入力装置１がサービス情報を登録する手順のシーケンス図を示す。
【００５３】
まず、ユーザはサービス情報管理手段２３を起動して、画像データを利用する所望のサービスを入力又は選択する。
【００５４】
また、画像入力装置１において自らが登録したサービス情報をユーザが選択しやすいように、ユーザは所望の表示用情報を入力することができる。表示用情報は、操作画面表示画面５がタッチパネル１６に形成するサービス情報の識別名であって、サービスがソフトウェアの場合、例えばそのソフトウェアの名称である。これは、ユーザが所望の内容で入力又は編集可能であり、また、所定のデフォルトの表示用情報が予め記憶されていてもよい。操作画面表示画面５はこの表示用情報を画像入力装置１のタッチパネル１６に形成するので、画像入力装置１においてユーザが表示用情報を選択すると画像データの宛先が選択される。サービス情報管理手段２３は一度設定されたサービス情報を記憶装置３３に記憶し、入力又は選択されたサービス及び表示用情報に基づきサービス情報を生成する。
【００５５】
したがって、サービス情報の内容は、「画像送信先情報（例えば、ＵＲＩもしくはＩＰアドレス＋サービスの対象）」及び「表示用情報」となる。なお、ＩＰアドレスは、当該ユーザの情報処理装置２０を選択すればそのＩＰアドレスが自動的に取得され、また、仮に他のユーザの情報処理装置２０を選択した場合も不図示のサーバに登録されたＩＰアドレスが自動的に取得されて画像送信先情報が生成される。ＵＲＩやＩＰアドレスにより複数の情報処理装置２０を識別可能であるが、サービス情報に情報処理装置２０の識別情報を付加してもよい。
【００５６】
認証処理などにより所定の一台の情報処理装置２０は所定の一人のユーザしか使用しないことを想定すれば、情報処理装置２０が特定されることでユーザも特定される。以下では、ユーザと情報処理装置２０を特に区別しない。
【００５７】
画像データの送信先となる情報処理装置２０は、サービス情報の登録を画像入力装置１に要求する（Ｓ１０）。要求時にサービス情報管理手段２３はサービス情報を一括で画像入力装置１に送信する。
【００５８】
なお、サービス情報の登録要求通知は、通常情報処理装置２０が起動した際ネットワークに接続されている画像入力装置すべてに通知される。このとき画像入力装置１が起動していればサービス情報の登録以後、情報処理装置２０に対して画像データの送信が可能となる。一方、画像入力装置が起動した際は、ネットワーク１４に接続されている情報処理装置２０すべてに対してサービスの再登録を要求する。このとき画像処理装置２０が起動していれば、前述の登録要求通知を再度行なう。このように、サービス情報の登録の要求は、いずれか起動の遅い方が起動した際に行われるのが原則であるが、例えば、所定時間毎に繰り返してもよい。
【００５９】
情報処理装置２０は複数のアプリケーションやフォルダ、その他各種サービスを提供するものであるので、複数のサービス情報が生成されうる。図４では５つのサービス情報が設定され、一括して画像入力装置１に送信される様子を示した。
【００６０】
画像入力装置１はネットワークＩ／Ｆ１０によりサービス情報を受信して、通信管理手段９がデジタルデータに復調すると共にヘッダ情報などを取り除き、送信されたサービス情報をいったん記憶装置１２のＲＡＭ等に保存する（Ｓ２０）。
【００６１】
そして、所定の処理によるサービス情報の登録（Ｓ３０）を実行して、登録の成否通知（ＯＫ又はＮＧ）を情報処理装置２０に通知する（Ｓ４０）。
【００６２】
〔サービス情報の削除〕
サービス情報の削除の処理手順について説明する。ここで、サービス情報の削除には２通りのパターンが存在する。１つは情報処理装置２０から画像入力装置１へ、サービス情報の削除要求を送信する場合であり、もう１つのパターンは、一定時間、サービス情報の延長要求が情報処理装置２０から送信されなかった場合である。いずれの場合でも、画像入力装置１はサービス情報を削除するが、本実施形態ではこれらを別々に説明する。
【００６３】
・削除要求による削除
図５は、情報処理装置２０の削除要求により画像入力装置１に登録されているサービス情報を削除する手順のシーケンス図を示す。
【００６４】
情報処理装置２０が削除要求する前に、情報処理装置２０は画像入力装置１から登録要求通知を画像入力装置１に通知済みである。このとき、情報処理装置２０がシャットダウン等により正常に終了する場合は、以後に画像入力装置１から画像データを送信されても処理できないため、正常に終了する前に画像入力装置１にサービス情報の削除要求を送信しなければならない。
【００６５】
サービス情報管理手段２３は、サービス情報及び処理内容（この場合は削除）を画像入力装置１に送信する（Ｓ１０）。図５に示すように、削除要求されるサービス情報は複数の場合があるが、これらは一括して送信される。
【００６６】
画像入力装置１は送信されたサービス情報に合致するサービス情報を削除し（Ｓ２０）、削除の成否通知「ＯＫ又はＮＧ」を情報処理装置２０に送信する（Ｓ３０）。この削除要求による削除処理については後に詳述する。
【００６７】
なお、情報処理装置２０が登録したと認識しているサービス情報と画像入力装置１が記憶しているサービス情報に齟齬が生じた場合、削除を認識していないサービス情報は当該削除要求により削除したものとする。すなわち、削除要求した情報処理装置２０が登録したサービス情報のうち、画像入力装置１に登録されているものは全て画像入力装置１から削除される。  
・サービス情報の延長要求が送信されなかった場合
サービス情報の延長の処理手順について説明する。上述したように、一定時間、サービス情報の延長要求が情報処理装置２０から送信されなかった場合には、サービス情報は削除されるように設定されている。これは、何ら通知のない情報処理装置２０が登録したサービス情報を削除し、サービス情報保存領域１２Ａを有効に利用するためである。前述の通り情報処理装置２０が正常に終了した場合、情報処理装置２０は画像入力装置１にサービス情報の削除要求を通知するので、その時点で当該情報処理装置２０のサービス情報も削除されうるが、情報処理装置２０が正常に終了しなかった場合、画像入力装置１はそのままサービス情報を記憶し続けることになり、サービス情報保存領域１２Ａを有効に利用できない。そこで、一定時間毎の延長要求のない情報処理装置２０が登録したサービス情報は削除することとする。
【００６８】
図６は、情報処理装置２０の延長要求により画像入力装置が登録されているサービス情報の登録の延長する手順のシーケンス図である。
【００６９】
情報処理装置２０が延長要求する前に、情報処理装置２０は登録要求通知を画像入力装置１に通知済みであって、さらに、情報処理装置２０が一度は登録処理を実施されている場合が多い。また、延長要求は、ユーザが意識することなく、サービス情報管理手段２３が一定時間毎に自動的に繰り返す処理である。
【００７０】
サービス情報管理手段２３は、一定時間が経過すると、登録要求したサービス情報及び処理内容（この場合は延長）を画像入力装置１に送信する（Ｓ１０）。図６に示すように、延長要求する場合、通常情報装置２０が登録を行なった複数のサービス情報を一括して送信するが、サービス情報を個別に延長要求する必要は無いので、サービス情報を含まず単に延長の処理内容だけを送信することで、該当するサービス情報すべてを延長してもよい。
【００７１】
画像入力装置１は送信されたサービス情報に合致するサービス情報の登録の延長、すなわち削除を延期し（Ｓ２０）、延長の成否通知「ＯＫ又はＮＧ」を情報処理装置２０に送信する（Ｓ３０）。削除の延期とは、例えば、情報処理装置２０毎に設けられたタイマをリセットするこという。このタイマが一定時間になると、当該情報処理装置２０のサービス情報が削除される。一定時間が経過してサービス情報が削除された場合、当該情報処理装置２０に削除通知が送信される（Ｓ４０）。
【００７２】
〔サービス情報の処理手順〕
サービス情報の処理手順について説明する。図７は、画像入力装置１の各機能がサービス情報を登録・削除・延長する処理のシーケンス図を示す。削除要求のみ又は延長要求のみであった場合は比較的処理は容易だが、登録要求の場合、登録要求のサービス情報の数とサービス情報保存領域１２Ａの空きの数等に応じた処理が要求される。
【００７３】
上記のように情報処理装置２０からサービス情報の登録・削除・延長の要求と共に、サービス情報が画像入力装置１に送信される（Ｓ１）。
【００７４】
通信管理手段９は復調したデジタルデータからサービス情報を取り出し、情報取得手段７に送出する（Ｓ２）。
【００７５】
情報取得手段７は、サービス情報及びサービス情報の処理内容を取り出し、サービス情報決定手段４に送出する（Ｓ３）。サービス情報の処理内容は、例えば、登録、削除又は延長、など送信されたサービス情報に対する処理を指示するものである。
【００７６】
サービス情報決定手段４は、画像入力装置１にすでに登録済みのサービス情報と、新規に画像送信先の情報装置２０から受信したサービス情報を比較し、更新内容を決定する。更新内容が決定されたら、サービス情報更新手段６はサービス情報保存領域１２Ａに記憶されている内容を更新する。
【００７７】
その後、画像入力装置１での要求のあったサービス情報の更新の成否通知（ＯＫ又はＮＧ）を情報処理装置２０に通知する（Ｓ４）。
【００７８】
本実施形態では、図７のシーケンス図の点線Ａで囲まれた処理において、登録要求の際にサービス情報保存領域１２Ａの予約の仕組みを利用する。以下、詳細に説明する。
【００７９】
〔サービス情報の予約〕
サービス情報の登録が予約されると、サービス情報保存領域１２Ａに、原則的に予約されたサービス情報の数だけ予約領域が確保される。予約領域には、他のサービス情報を登録することができないので、予約されたサービス情報を常に登録可能な状態にすることができる。
【００８０】
図８（ａ）はサービス情報の予約処理のシーケンス図を示す。情報処理装置２０はサービス情報の予約要求／予約解除要求を送信する（Ｓ１０）。予約要求又は予約解除要求が受信されると、画像入力装置１は後述する予約処理を実行する（Ｓ２０）。これにより、サービス情報の登録領域の予約が可能となる（Ｓ３０）。
【００８１】
図８（ｂ）はサービス情報保存領域１２Ａの一例を示す図である。予約を可能にする場合、例えば、サービス情報保存領域１２Ａに設けられたフラグを参照し、フラグの状態に応じて予約の是非を管理する。フラグがオン（１）であれば予約状態を、フラグがオフ（０）であれば非予約状態をそれぞれ示す。
【００８２】
サービス情報保存領域１２Ａが全て予約されることを防止するため、予約可能なサービス情報の数を定めることができる。また、サービス情報の予約領域の割り当てについては、情報処理装置２０毎（ユーザ毎）、及び、サービス情報毎に定められる。
【００８３】
サービス情報毎に予約領域を用意する理由としては、優先して割り当てたいサービス情報が存在する場合が考えられるためである。また、ユーザごとに予約領域を用意する理由としては、サービス情報が変わった場合に対応するためである。サービス情報に変更が生じた場合、予約したサービス情報とはまったく別のサービス情報として扱われるため、予約された領域については使用不能の領域になってしまう。これをユーザごとに予約領域を割り当てるようにすることで回避することができる。ユーザごとに割り当てられていれば、たとえサービス情報に変更が入った場合であっても、当該ユーザの予約領域にサービス情報を保存することができるからである。
【００８４】
図９は、サービス情報予約手段１５が予約処理するフローチャート図の一例を示す。図９の処理により、登録済みのサービス情報に対し「予約」の仕組みを提供することができ、同じサービス情報の登録が要求された場合にすでに登録済みの他のサービス情報を削除するなどの手段に頼ることなく、常に予約済みサービス情報の登録を可能にすることができる。
【００８５】
予約処理を経てサービス情報が予約された場合、予約されたサービス情報にかかるサービス情報保存領域１２Ａは予約されたサービス情報用に確保され、他のサービス情報はその保存領域には登録することをできない。これにより、予約済みサービス情報を常に登録可能な状態にすることができる。
まず、サービス情報予約手段１５は、予約要求又は予約解除要求を受信する（Ｓ１−１０）。そして、受信した信号が予約要求又は予約解除要求のいずれかを判定する（Ｓ１−２０）。
【００８６】
予約解除要求の場合、サービス情報予約手段１５は予約の解除が要求されたサービス情報の予約フラグをオフにする（Ｓ１−３０）。
【００８７】
ついで、予約領域を割り当てる単位がサービス情報毎かユーザ毎かを判定する（Ｓ１−４０）。この違いによって、予約可能なサービス情報の数が異なるからである。
【００８８】
ユーザ毎に予約領域を割りあてている場合（Ｓ１−４０のＹｅｓ）、サービス情報予約手段１５は、予約を解除したユーザの登録可能数を解除した数だけ（例えば１つ）増大する（Ｓ１−５０）。
【００８９】
ユーザ毎に予約領域を割りあてていない場合（Ｓ１−４０のＮｏ）、サービス情報予約手段１５は、現在の予約数を解除した数だけ（例えば１つ）減少させる（Ｓ１−６０）。
【００９０】
ステップＳ１−２０に戻り、予約要求が受信された場合、予約領域を割り当てる単位がサービス情報毎かユーザ毎かを判定する（Ｓ１−７０）。
【００９１】
ユーザ毎に予約領域を割りあてない場合（Ｓ１−７０のＮｏ）、サービス情報の現在の予約数が、最大予約可能数よりも小さいか否かを判定する（Ｓ１−８０）。なお、最大予約可能数に定めがない場合、この処理は省略され、省略する場合Ｓ１−８０はＹｅｓになる。
【００９２】
サービス情報の現在の予約数が、最大予約可能数よりも小さい場合（Ｓ１−８０のＹｅｓ）、予約する余裕があるので、サービス情報予約手段１５は指定されたサービス情報の予約フラグをオンにする（Ｓ１−９０）。サービス情報の現在の予約数が、最大予約可能数よりも小さくない場合（Ｓ１−８０のＮｏ）、サービス情報予約手段１５は予約エラーを情報処理装置２０に送信する（Ｓ１−１１０）。
【００９３】
そして、サービス情報予約手段１５は、予約したサービス情報の数だけ（例えば１つ）現在の予約数を増大する（Ｓ１−１００）。
【００９４】
ステップＳ１−７０に戻り、ユーザ毎に予約領域を割りあてる場合（Ｓ１−７０のＹｅｓ）、当該ユーザの現在の予約数が、当該ユーザに割り当てられた最大予約可能数よりも小さいか否かを判定する（Ｓ１−１２０）。なお、最大予約可能数に定めがない場合、この処理は省略され、省略する場合Ｓ１−８０はＹｅｓになる。
【００９５】
当該ユーザの現在の予約数が、当該ユーザに割り当てられた最大予約可能数よりも小さいくない場合（Ｓ１−１２０のＮｏ）、サービス情報予約手段１５は予約エラーを情報処理装置２０に送信する（Ｓ１−１１０）。
【００９６】
当該ユーザの現在の予約数が、当該ユーザに割り当てられた最大予約可能数よりも小さい場合（Ｓ１−１２０のＹｅｓ）、サービス情報予約手段１５は、予約する余裕があるので、サービス情報予約手段１５は指定されたサービス情報の予約フラグをオンにする（Ｓ１−１３０）。
【００９７】
そして、サービス情報予約手段１５は、予約したサービス情報の数だけ（例えば１つ）当該ユーザの最大予約可能数を増大する（Ｓ１−１４０）。
【００９８】
〔予約領域、非予約領域の処理〕
予約領域の存在により非予約領域の処理も影響がある。ここでは、その一例を説明する。非予約領域の処理について説明する。図１０は、ユーザＡ、Ｂから空き領域以上のサービス情報の登録要求がある場合のシーケンス図を示す。
【００９９】
ユーザＡのａ１及びａ２というサービス情報が予約領域に予約されている。図１０の上側のサービス情報保存領域１２Ａでは、斜線領域は予約されているがサービス情報は未登録の領域を、白い領域はサービス情報が未登録の領域を、網目領域はサービス情報が登録済みの領域を、それぞれ示す。
【０１００】
この状態で、ユーザＡからサービス情報ａ１〜ａ３の登録要求があった場合、例えば、サービス情報ａ１とａ２は予約領域に登録され、サービス情報ａ３は白い領域（サービス情報が未登録の領域）に登録される。
【０１０１】
図１０の下側のサービス情報保存領域１２Ａは、斜線領域にサービス情報ａ１、ａ２が、サービス情報が未登録であった領域にサービス情報ａ３が、それぞれ登録された状態を示す。
【０１０２】
この状態で、ユーザＢがサービス情報ｂ１、ｂ２の登録を要求してきた場合、サービス情報ａ３が最も使用されていないなどの理由により、ユーザＡのａ３のサービス情報が削除対象となったとする。この場合、原則的にはユーザＡのａ３を削除して登録要求のあった新規のサービス情報を受け付ける。しかし、ユーザＡのサービス情報ａ３については予約領域に確保されているサービス情報ａ１，ａ２と同時に登録されたサービス情報であるという理由によりユーザＡのサービス情報ａ３を削除対象外とし、他のサービス情報を削除することで対応する。
【０１０３】
また、図１１のような場合もある。図１１は、予約領域を確保している情報装置からまったく別のサービス情報の登録が要求されたシーケンス図である。上側のサービス情報保存領域１２Ａでは、ユーザＡのａ１及びａ２というサービス情報が予約領域に予約されていて、非予約領域はすべてサービス情報が登録されている。
【０１０４】
この状態で、ユーザＡからサービス情報ａ１〜ａ３の登録要求があった場合、例えば、サービス情報ａ１とａ２は予約領域に登録され、サービス情報ａ３は非予約領域から規則に従い削除されたサービス情報が登録されていた領域に登録される。
【０１０５】
図１１の下側のサービス情報保存領域１２Ａは、斜線領域にサービス情報ａ１、ａ２が、サービス情報が登録されていた非予約領域にサービス情報ａ３が、それぞれ登録された状態を示す。
【０１０６】
そして、さらにユーザＡからサービス情報ａ４、ａ５の登録要求があった場合、サービス情報ａ４、ａ５をどう処理するかは、予約領域をユーザごとに割り当てているのか、サービス情報ごとに割り当てているのかによって異なる。
【０１０７】
ユーザごとに予約領域を割り当てている場合は、予約領域に登録済みのサービス情報を削除し、新規に要求のあったサービス情報を優先的に予約領域に登録する。サービス情報ごとに予約領域を割り当てている場合は、登録済みのサービス情報を破棄し、新規に登録要求のあったサービス情報の登録処理を行う。
【０１０８】
情報の破棄には次のようなパターンがある、
・予約領域に登録されたサービス情報ａ１とａ２、非予約領域に登録されたサービス情報ａ３をいずれも削除する。
・非予約領域に登録されたサービス情報ａ３から削除し、予約領域に登録されたサービス情報ａ１とａ２のいずれかを削除する。
・予約領域に登録されたサービス情報ａ１とａ２を削除する。
【０１０９】
このとき、例えば予約領域のサービス情報ａ１，ａ２を削除する場合、サービス情報予約手段１５は予約領域を解除する。これにより、予約領域が使用されないままとなることが防止できる。
【０１１０】
以下、予約領域、非予約領域の処理について詳細に説明する。
〔予約領域、非予約領域の処理の詳細〕
図１２は、情報処理装置２０からサービス情報の登録要求がきた場合の手順を示すフローチャート図である。図１２のフローチャート図は、図７のＡ（Ｓ３０）の処理に相当する。この情報処理装置２０は、画像の送信先となる。
【０１１１】
まず、画像入力装置１は、情報装置２０からサービス情報の登録要求を受信する（Ｓ１００）。そして、登録対象のサービス情報を決定するため、登録要求されているサービス情報とすでに登録済みのサービス情報とを比較する（Ｓ１１０）。この比較処理については図１３にて詳述する。比較をすることで、すでに登録済みのサービス情報が再度登録されることを防ぐことができる。
【０１１２】
ついで、画像入力装置１は、要求された全サービス情報の登録が可能か否かを判定する（Ｓ１２０）。サービス情報に対して予約領域を確保するようにしている場合、登録要求のあったサービス情報のうち、予約領域があらかじめ確保されているものについては、予約領域に登録し、残りのサービス情報については非予約領域に登録する。また、ユーザごとに予約領域を割り当てるようにしている場合については、適当なサービス情報を優先して予約領域に保存するようにし、残りのサービス情報については非予約領域に登録する。
【０１１３】
なお、図１２の説明においては、サービス情報毎に予約領域を与える場合であってもユーザ毎に予約領域を与える場合であっても、登録処理に関する考え方は同じであるので、サービス情報に対して予約領域を確保するパターンを例に説明する。
【０１１４】
上述したように、サービス情報保存領域１２Ａの非予約領域に、予約領域に登録された以外の残りのサービス情報をすべて記憶させるのに十分な空き領域が存在しない場合が存在する。この場合、非予約領域の中から登録済みのサービス情報の一部を削除するが、削除してよいかどうか、削除してよい場合にどのサービス情報を削除するか決定する必要があるため、ステップＳ１４０にて、登録済みのサービス情報の一部を削除してよいか否かを判定する。この詳細は図１４で後述する。
【０１１５】
そして、登録済みのサービス情報の一部を削除してよい場合（Ｓ１４０のＹｅｓ）、サービス情報削除手段２は登録済みサービス情報を削除する（Ｓ１５０）。そして、削除した後は、サービス情報更新手段６がサービス情報を登録する（Ｓ１６０）。登録処理については図１５で説明する。
【０１１６】
登録済みのサービス情報の一部を削除することができない場合（Ｓ１４０のＮｏ）、サービス情報更新手段６は登録できるだけ登録するか否かを判定する（Ｓ１９０）。
【０１１７】
ステップＳ１９０において、登録できるだけのサービス情報を登録させないケースを設ける理由は、登録できるだけのサービス情報を登録させた場合、画像入力装置１が保持するサービス情報と情報装置２０が登録したと認識しているサービス情報に相違が生じてしまうことにある。この状況が好ましくない場合があることを考えステップＳ１９０の判定が存在する。
【０１１８】
登録できるだけ登録する場合には（Ｓ１９０のＹｅｓ）、サービス情報更新手段６は登録対象とするサービス情報を決定する（Ｓ２００）。なお、サービス情報を登録できるだけ登録するか否かはユーザ又は画像入力装置１の管理者により設定されているものである。サービス情報の削除を画像入力装置１の判断で行うことが好ましくない場合、削除は許可されないように設定される。
【０１１９】
ついで、サービス情報更新手段６は、例えば空き領域の数だけ登録対象のサービス情報を登録する（Ｓ２１０）。登録処理については図１５で説明する。サービス情報を登録する順番は例えば一括に送信されたサービス情報の先頭データからの順である。
【０１２０】
また、登録できるだけ登録しない場合（Ｓ１９０のＮｏ）、サービス情報決定手段４は、成否通知「ＮＧ」を情報処理装置２０に送信する（Ｓ２２０）。
【０１２１】
また、ステップＳ１３０、Ｓ１７０、Ｓ２１０において、サービス情報が登録された場合、サービス情報決定手段４は成否通知「ＯＫ」を情報処理装置２０に送信する（Ｓ１７０）。
【０１２２】
そして、サービス情報更新手段６は、新たに登録したサービス情報の数を登録前のサービス情報の数に加算して現在の登録済みサービス情報の数とする（Ｓ１８０）。
【０１２３】
〔比較処理（Ｓ１１０）〕
続いて、図１２のステップＳ１１０の「登録要求されているサービス情報とすでに登録済みのサービス情報との比較処理について図１３のフローチャート図に基づき説明する。
【０１２４】
まず、サービス情報決定手段４は、同一の情報処理装置２０が画像入力装置１にサービス情報を既に登録しているか否かを判定する（Ｓ３００）。画像入力装置１に同一の情報処理装置２０から未だサービス情報が登録されていない場合（Ｓ３００のＮｏ）、図１３の処理は終了する。
【０１２５】
同一の情報処理装置２０が画像入力装置１にサービス情報を既に登録している場合（Ｓ３００のＹｅｓ）、サービス情報決定手段４は、同一の情報処理装置２０が登録要求したサービス情報と同一のサービス情報が重複して登録されているか否かを判定する（Ｓ３１０）。例えば、情報処理装置２０が「ａ１・ａ２・ａ３」のサービス情報を登録済みであって、情報処理装置２０が「ａ１・ａ２・ａ４」のサービス情報の登録要求を送信した場合、「ａ１・ａ２」が重複しているので、ステップＳ３１０の判定はＹｅｓとなる。
【０１２６】
同一のサービス情報が重複して登録されている場合（Ｓ３１０のＹｅｓ）、サービス情報決定手段４は、重複しているサービス情報を登録対象外とする（Ｓ３２０）。例えば、「ａ１・ａ２」が重複している場合、「ａ１・ａ２」は登録の対象外となる。これにより、サービス情報の変更時、即時にそれを使用することができるようになる。
【０１２７】
ここで、重複したサービス情報を置き換えてもよい。置き換えとは、サービス情報保存領域１２Ａから重複したサービス情報を削除すると共に登録要求されたサービス情報を登録することを言う。重複したサービス情報は「ａ１・ａ２」で同じであるが、より新しいサービス情報に置き換えることで、ユーザの意志を反映したサービス情報とすることができる。
【０１２８】
ついで、サービス情報決定手段４は、登録要求されたサービス情報に追加されたサービス情報があるか否かを判定する（Ｓ３３０）。ここでは、「ａ４」が追加されたサービス情報となる。サービス情報決定手段４は、追加されたサービス情報「ａ４」を登録対象にする（Ｓ３４０）。
【０１２９】
ついで、サービス情報決定手段４は、削除されたサービス情報があるか否かを判定する（Ｓ３５０）。削除されたサービス情報がある場合、サービス情報決定手段４は削除されたサービス情報をサービス情報保存領域１２Ａから削除する（Ｓ３６０）。ここではサービス情報ａ３が削除されたサービス情報となる。すなわち、登録要求されないサービス情報については重複をチェックする時点でサービス情報保存領域１２Ａから削除される。
【０１３０】
ついで、サービス情報決定手段４は、登録要求になかったサービス情報が予約領域に登録されているか否かを判定する（Ｓ３７０）。ここでは、サービス情報ａ３が予約領域に登録されているか否かを判定する。
【０１３１】
登録要求になかったサービス情報が予約領域に登録されている場合（Ｓ３７０のＹｅｓ）、ユーザごとにサービス情報の予約領域が設けられているか否かを判定する（Ｓ３８０）。
【０１３２】
すなわち、登録要求になかったサービス情報が予約領域に登録されていない場合は、未使用の予約領域ができてしまうことを回避するため予約領域を開放することができる（Ｓ３９０）。しかしながら、ユーザごとにサービス情報の予約領域を設ける場合（Ｓ３８０のＮｏ）、予約領域の解放は行うべきではないので予約領域は開放しない。
【０１３３】
なお、一時的にサービス情報をユーザが書き換えて使用する、といった使われ方が考えられるため、即時に予約領域の解放を行わなくてもよい。
〔削除処理（Ｓ１５０）〕
続いて、図１２のステップＳ１５０で説明した削除処理について図１４のフローチャート図に基づき説明する。この処理は、予約領域に登録することのできなかった残りのサービス情報を保存するための領域を作るため、非予約領域に登録済みのサービス情報の一部を削除する処理である。ここでは、削除対象を「もっとも最近利用されていない非予約領域のサービス情報」とする。この理由としては使用されていない非予約領域のサービス情報を保持しつづけず、新規に登録要求のあったサービス情報を優先する方がユーザにとってメリットがあるためである。
【０１３４】
まず、サービス情報削除手段２は、現在、サービス情報保存領域１２Ａに登録されているサービス情報を仮領域の記憶領域に記憶する（Ｓ４１０）。
【０１３５】
そして、サービス情報削除手段２は、仮領域に記憶したサービス情報の利用日時情報を参照し、最後の利用日時が最も古いサービス情報を抽出する（Ｓ４２０）。このとき、検索された非予約領域のサービス情報と同時に同一の情報装置２０によりサービス情報が登録されている場合がある。こういった場合、そのサービス情報を削除するのか否かといったことの判定するためＳ４３０、Ｓ４５０、Ｓ４６０が存在する。
【０１３６】
ついで、サービス情報削除手段２は、利用日時が最も古いサービス情報を登録した情報処理装置２０により他にもサービス情報が登録されているか否かを判定する（Ｓ４３０）。  例えば、ステップＳ４３０で利用日時が最も古いサービス情報を登録した情報処理装置が情報処理装置２０Ｂであった場合、情報処理装置２０Ｂが他にサービス情報を登録しているか否かを判定する。以下、これを他サービス情報という。
【０１３７】
他サービス情報は、同じ情報処理装置２０Ｂが登録したものであるので、同時に登録された可能性が高い。したがって、一括登録されたサービスは、一括で削除するほうがＰＣ側の処理の仕様上望ましい場合がある。
【０１３８】
他サービス情報が登録されていない場合（Ｓ４３０のＮｏ）、サービス情報削除手段２は最も利用日時が古いサービス情報を削除する（Ｓ５１０）。
【０１３９】
ついで、サービス情報削除手段２は、他サービス情報が予約領域に記憶されているか否かを判定する（Ｓ４４０）。この判定により、同一の情報処理装置２０から同時に登録されたことに意味がある場合を検出することができる。このため、たとえ非予約領域のサービス情報が削除条件に該当した場合であっても、他サービス情報が予約領域に登録されている場合は次のように場合分けして削除する。
【０１４０】
他サービス情報が予約領域に記憶されている場合（Ｓ４４０のＹｅｓ）、サービス情報削除手段２は非予約領域のサービス情報を削除対象とするか否かを判定する（Ｓ４８０）。この判定により、たとえ非予約領域のサービス情報が削除条件に該当した場合であっても削除することを防止できる。また、非予約領域のサービス情報を削除してもいい場合については非予約領域のサービス情報のみを削除することができるようになる。これは、予約領域のサービス情報を削除しても他者はその領域にサービス情報を登録することができないため、当該ユーザのサービス情報を登録しておいても実害が少ないからである。なお、非予約領域のサービス情報を削除対象とするか否かは、ユーザ又は画像入力装置１の管理者により設定されているものである。
【０１４１】
非予約領域のサービス情報を削除対象とする場合（Ｓ４８０のＹｅｓ）、サービス情報削除手段２は、非予約領域のサービス情報を削除する（Ｓ４８１）。したがって、非予約領域のサービス情報が削除され、予約領域に記憶された他サービス情報は削除されないことになる。この処理により、情報処理装置２０の認識と画像入力装置の保持しているサービス情報が相違しても、必要な空き領域を確保しやすくできる。
【０１４２】
他サービス情報が予約領域に記憶されていない場合（Ｓ４４０のＮｏ）、サービス情報削除手段２は他サービス情報を最後の利用日時が最も古いサービス情報と共に削除するか否かを判定する（Ｓ４５０）。「あわせて削除する」という選択を可能とすることで、画像入力装置１が保持しているサービス情報と情報処理装置２０が登録したと認識しているサービス情報に相違が生じてしまうことを防ぐことができる。なお、他サービス情報を最後の利用日時が最も古いサービス情報と共に許可するか否かはユーザ又は画像入力装置１の管理者により設定されているものである。
【０１４３】
他サービス情報を最後の利用日時が最も古いサービス情報と共に削除しない場合（Ｓ４５０のＮｏ）、サービス情報削除手段２は、利用日時が最も古いサービス情報のみを削除する（Ｓ４９０）。
【０１４４】
他サービス情報を最後の利用日時が最も古いサービス情報と共に削除する場合（Ｓ４５０のＹｅｓ）、サービス情報削除手段２は他サービス情報に最近利用されたサービス情報が含まれているか否かを判定する（Ｓ４６０）。最近利用されたか否かは、例えば、一定期間以上使用されていないことや、利用日時の新しい順にサービス情報をソートして上位５番以内に含まれるか否かを基準に判定する。
【０１４５】
他サービス情報に最近利用されたサービス情報が含まれていない場合（Ｓ４６０のＮｏ）、サービス情報削除手段２は他サービス情報を最後の利用日時が最も古いサービス情報と共に全て削除する（Ｓ４７０）。
【０１４６】
この場合、他の情報処理装置２０が他サービス情報よりも古いサービス情報を登録していても、他サービス情報は最後の利用日時が最も古いサービス情報と共に削除される。可能な限り一括で削除したほうが、ＰＣ側の処理の仕様上望ましい場合があるためである。
【０１４７】
したがって、ステップＳ４７０では非予約領域に登録されているサービス情報が、最後の利用日時が最も古いサービス情報と共に削除される。
【０１４８】
他サービス情報に最近利用されたサービス情報が含まれている場合（Ｓ４６０のＹｅｓ）、
及び、他サービス情報を最後の利用日時が最も古いサービス情報と共に削除しない場合（Ｓ４５０のＮｏ）、サービス情報削除手段２は、利用日時が最も古いサービス情報のみを削除する（Ｓ４９０）。この処理により、「もっとも最近利用されていないサービス情報」という条件にあてはまらない場合や、最近使用されたサービス情報については引き続きサービス情報は残したままにしておくことができる。
【０１４９】
ついで、削除処理（Ｓ４７０、Ｓ４９０、Ｓ５１０）が終了すると、空き領域作成手段２はサービス情報削除手段２は、サービス情報保存領域１２Ａに必要な空き領域が確保できたか否かを判定する（Ｓ５００）。必要な空き領域は、図１３の処理により算出済みである。
【０１５０】
必要な空き領域が確保されていない場合（Ｓ５００のＮｏ）、サービス情報削除手段２は必要な空き領域が確保されるまで図１４の処理を繰り返す。
【０１５１】
このため、ステップＳ５３０に進み、サービス情報削除手段２は、最も最近利用されていなサービス情報としてチェックされていないサービス情報があるか否かを判定する（Ｓ５３０）。チェックしていないサービス情報がある場合（Ｓ５３０のＹｅｓ）、次に最も最近利用されていないサービス情報を検索する（Ｓ５２０）。以降は、ステップＳ４３０からの処理を実行する。
【０１５２】
チェックしていないサービス情報がない場合（Ｓ５３０のＹｅｓ）、予約領域のサービス情報と同時に登録された非予約領域のサービス情報を削除してよいか否かを判定する（Ｓ５４０）。この判定により、予約領域のサービス情報と同時に登録された非予約領域のサービス情報を削除することができるようになる。なお、削除してよいか否かは、ユーザ又は画像入力装置１の管理者により設定されているものである。
【０１５３】
予約領域のサービス情報と同時に登録された非予約領域のサービス情報を削除してよい
場合（Ｓ５４０のＹｅｓ）、ステップＳ５６０に進み、以降は、ステップＳ４３０からの処理を実行する。なお、ステップＳ５６０で、ステップＳ４８０の判定がＹｅｓになるよう処理する。これにより、予約領域のサービス情報と同時に登録された非予約領域のサービス情報及び予約領域のサービス情報が削除され、空き領域が確保されやすくなる。
【０１５４】
削除が許可されていない場合（Ｓ５４０のＮｏ）、必要な空きを確保する処理を行った結果、要求されたサービス情報の全てを登録することができないことになる。この場合、サービス情報削除手段２は削除処理を無効化する（Ｓ５５０）。削除処理の無効化により、仮領域の記憶領域に記憶されていたサービス情報をサービス情報保存領域１２Ａに書き出す。
【０１５５】
なお、必要な空きを確保できなかったか否かに関わらず、図１２のステップＳ１６０に進むが、この場合、登録できるだけのサービス情報をサービス情報保存領域１２Ａに登録することが好適となる。
【０１５６】
以上の処理により、予約領域に登録することのできなかった残りのサービス情報を保存するための空き領域が作成される。
【０１５７】
〔サービス情報の登録処理（Ｓ１３０）、（Ｓ１６０）、（Ｓ２１０）〕
次に、サービス情報の登録処理について図１５のフローチャート図に基づき説明する。
情報処理装置２０から一度に複数のサービス情報が送信された場合、サービス情報更新手段６は、１つ１つのサービス情報を順に登録する。まず、最初のサービス情報を登録対象にする（Ｓ６１０）。
【０１５８】
ついで、サービス情報更新手段６は、予約領域がサービス情報毎かユーザ毎のどちらで割り当てられているかを判定する（Ｓ６２０）。この判定により、予約されているサービス情報は優先的に予約領域に登録することができ、その結果、非予約領域により多くのサービス情報を登録することが可能となる。
【０１５９】
サービス情報毎に割り当てられている場合（Ｓ６２０のＹｅｓ）、登録対象のサービス情報があらかじめ予約されているか否かを判定する（Ｓ６３０）。予約されたサービス情報の場合（Ｓ６３０のＹｅｓ）、サービス情報更新手段６は予約領域に登録する（Ｓ６４０）。
【０１６０】
予約されたサービス情報でない場合（Ｓ６３０のＮｏ）、サービス情報更新手段６は非予約領域に登録する（Ｓ６５０）。
【０１６１】
そして、登録要求のあったサービス情報の全てを登録したか否か（未登録のサービス情報があるか否か）を判定し（Ｓ６６０）、全てのサービス情報の登録が終わるまで繰り返す（Ｓ６７０）。
【０１６２】
ステップＳ６２０に戻り、予約領域がユーザ毎に割り当てられている場合（Ｓ６２０のＮｏ）、当該ユーザの最大予約可能数に達しているか（当該ユーザの予約領域に空きがあるか）否かを判定する（Ｓ６８０）。この判定により、当該ユーザの予約領域に空きがある場合、優先的に予約領域に登録する。
【０１６３】
この処理により、ユーザが画像転送を行おうと思ったときにサービス情報が消されてしまっている、という状況を回避することのできる確率があがる（非予約領域に登録される場合もあるため、１００％回避できるわけではない）。
【０１６４】
当該ユーザの予約領域に空きがある場合（Ｓ６８０のＹｅｓ）、サービス情報更新手段６は予約領域にサービス情報を登録する（Ｓ６９０）。当該ユーザの予約領域に空きがない場合（Ｓ６８０のＮｏ）、サービス情報更新手段６は非予約領域にサービス情報を登録する（Ｓ７００）。
【０１６５】
予約領域を確保しているユーザのサービス情報については優先して予約領域に登録することにより、結果として予約領域を確保しているユーザのサービス情報は非予約領域に登録されることが少なくなる。この処理により、予約領域を確保していないユーザがサービス情報を登録する場合に、他のサービス情報を削除することが少なくなる。
【０１６６】
そして、登録要求のあったサービス情報の全てを登録したか否か（未登録のサービス情報があるか否か）を判定し（Ｓ７２０）、全てのサービス情報の登録が終わるまで繰り返す（Ｓ７１０）。
【０１６７】
以上の処理により、空き領域が作成できた場合には、登録要求のあったサービス情報を全て登録することができる。
【０１６８】
以上のように、本実施形態の画像入植装置１によれば、原則的に予約領域にサービス情報を優先的に登録しておくことができ、確実にサービス情報を登録することができる。また、サービス情報保存領域１２Ａに空き領域がない場合、削除対象のサービス情報と同時に登録されたサービス情報が予約領域と非予約領域のどちらに登録されているかに基づき、同時に登録されたことに意味があると判定し、予約領域と非予約領域のどちらも削除を禁止することができる。この場合、情報処理装置２０の認識と画像入力装置の保持しているサービス情報の相違を防ぐことができる。
【０１６９】
また、予約領域に他サービス情報が登録されている場合は、非予約領域のサービス情報のみを削除又は予約領域と非予約領域のどちらも削除することで、サービス情報保存領域１２Ａに空き領域を形成しやすくでき、結果として他の非予約領域に保持しているサービス情報を消されにくくすることができる。
【０１７０】
また、非予約領域のサービス情報も削除が許可されていなくても、空き領域が確保できなかった場合には、非予約領域のサービス情報を削除できるようにすることができ、空き領域を確保しやすくすることができる。
【図面の簡単な説明】
【０１７１】
【図１】本実施形態の情報の登録手順を示すシーケンス図である。
【図２】画像入力装置及び情報処理装置が構成する画像入力システムの構成図である。
【図３】情報処理装置のハードウェア構成図の一例である。
【図４】情報処理装置が画像入力装置にサービス情報を送信し、画像入力装置がサービス情報を登録する手順のシーケンス図である。
【図５】情報処理装置の削除要求により画像入力装置に登録されているサービス情報を削除する手順のシーケンス図である。
【図６】情報処理装置の延長要求により画像入力装置が登録されているサービス情報の登録の延長する手順のシーケンス図である。
【図７】画像入力装置の各機能がサービス情報を登録・削除・延長する処理のシーケンス図である。
【図８】サービス情報の予約処理のシーケンス図である。
【図９】サービス情報予約手段が予約処理するフローチャート図の一例である。
【図１０】ユーザＡ、Ｂから空き領域以上のサービス情報の登録要求がある場合のシーケンス図である。
【図１１】予約領域を確保している情報装置からまったく別のサービス情報の登録が要求されたシーケンス図である。
【図１２】情報処理装置からサービス情報の登録要求がきた場合の手順を示すフローチャート図である。
【図１３】登録要求されているサービス情報とすでに登録済みのサービス情報との比較処理を示すフローチャート図である。
【図１４】サービス情報の削除処理を示すフローチャート図である。
【図１５】サービス情報の登録処理を示すフローチャート図である。
【図１６】従来のネットワークスキャナシステムの構成図である。
【符号の説明】
【０１７２】
１      画像入力装置
２      サービス情報削除手段
３      サービス情報延長手段
４      サービス情報決定手段
５      操作画面表示手段
６      サービス情報更新手段
７      情報取得手段
８      ＣＰＵ
９      通信管理手段
１０    ネットワークＩ／Ｆ  
１１    画像入力デバイス
１２    記憶装置
１２Ａ  サービス情報保存領域
１３    ＰＣＩバス
１４    ネットワーク
１５    サービス情報予約手段
１６    タッチパネル
２０    情報処理装置
２２    読み取り条件管理手段
２３    サービス情報管理手段  
２４    メディア装着部
２５    記憶媒体
【図１】
2008219194.tif 000003
【図２】
2008219194.tif 000004
【図３】
2008219194.tif 000005
【図４】
2008219194.tif 000006
【図５】
2008219194.tif 000007
【図６】
2008219194.tif 000008
【図７】
2008219194.tif 000009
【図８】
2008219194.tif 000010
【図９】
2008219194.tif 000011
【図１０】
2008219194.tif 000012
【図１１】
2008219194.tif 000013
【図１２】
2008219194.tif 000014
【図１３】
2008219194.tif 000015
【図１４】
2008219194.tif 000016
【図１５】
2008219194.tif 000017
【図１６】
2008219194.tif 000018